【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
循環移動するパレット上に粉鉱石と炭材を含む焼結原料を装入して装入層を形成する装入工程と、
上記装入層表面の炭材に点火炉で点火する点火工程と、
上記装入層上方で大気中に気体燃料を噴出して燃焼下限濃度以下の希釈気体燃料とする気体燃料供給工程と、
上記希釈気体燃料と空気とをパレット下に配設されたウインドボックスで吸引して装入層内に導入し、装入層内において希釈気体燃料と炭材を燃焼させて焼結ケーキを生成する焼結工程とを有する焼結鉱の製造方法において、
上記気体燃料供給工程は、気体燃料を気体燃料供給手段の噴出口から吹き消え現象が起こる流速で噴出させることを特徴とする焼結鉱の製造方法。
【請求項２】
上記吹き消え現象が起こる流速は、気体燃料の燃焼速度を超える速度であることを特徴とする請求項１に記載の焼結鉱の製造方法。
【請求項３】
上記気体燃料を、開口径が３ｍｍφ未満の噴出口から噴出させることを特徴とする請求項１または２に記載の焼結鉱の製造方法。
【請求項４】
上記気体燃料を、開口径が０．８〜１．５ｍｍφの噴出口から噴出させることを特徴とする請求項１〜３のいずれかに記載の焼結鉱の製造方法。
【請求項５】
上記焼結工程では、希釈気体燃料の供給量および／または濃度、あるいは、焼結原料中の炭材量を変化させて、装入層内の温度が１２００℃以上に保持される高温域保持時間の延長を図る工程、および／または、最高到達温度を１２００〜１３８０℃の範囲に保持することを特徴とする請求項１〜４のいずれかに記載の焼結鉱の製造方法。
【請求項６】
上記焼結工程では、装入層の上から導入した希釈気体燃料の少なくとも一部を未燃焼のまま上記装入層内の燃焼・溶融帯に到達させ、燃焼させることを特徴とする請求項１〜５のいずれかに記載の焼結鉱の製造方法。
【請求項７】
上記燃焼工程では、装入層の上から導入した希釈気体燃料を装入層内で燃焼させることによって、燃焼・溶融帯の高さ方向の厚みおよび／またはパレット進行方向の幅を拡大させることを特徴とする請求項１〜６のいずれか１項に記載の焼結鉱の製造方法。
【請求項８】
上記燃焼工程では、装入層の上から導入した希釈気体燃料を装入層内で燃焼させることによって、燃焼・溶融帯の高温域保持時間を延長させることを特徴とする請求項１〜７のいずれか１項に記載の焼結鉱の製造方法。
【請求項９】
上記燃焼工程では、希釈気体燃料の装入層への導入位置を変化させることを特徴とする請求項１〜８のいずれか１項に記載の焼結鉱の製造方法。
【請求項１０】
上記燃焼工程では、希釈気体燃料の装入層への導入を、点火炉以降の位置で行うことを特徴とする請求項１〜９のいずれか１項に記載の焼結鉱の製造方法。
【請求項１１】
上記燃焼工程では、希釈気体燃料の装入層への導入を、装入層表層部に焼結ケーキが生成されてから焼結が完了するまでの間に行うことを特徴とする請求項１〜１０のいずれか１項に記載の焼結鉱の製造方法。
【請求項１２】
上記燃焼工程では、希釈気体燃料の焼結層内への導入を、燃焼・溶融帯の厚みが１５ｍｍ以上となる領域において行うことを特徴とする請求項１〜１１のいずれか１項に記載の焼結鉱の製造方法。
【請求項１３】
上記希釈気体燃料は、燃焼下限濃度の７５％以下かつ２％以上の濃度に希釈された気体燃料であることを特徴とする請求項１〜１２のいずれか１項に記載の焼結鉱の製造方法。
【請求項１４】
上記希釈気体燃料は、燃焼下限濃度の６０％以下かつ２％以上の濃度に希釈された気体燃料であることを特徴とする請求項１〜１３のいずれか１項に記載の焼結鉱の製造方法。
【請求項１５】
上記希釈気体燃料は、燃焼下限濃度の２５％以下かつ２％以上の濃度に希釈された気体燃料であることを特徴とする請求項１〜１４のいずれか１項に記載の焼結鉱の製造方法。
【請求項１６】
上記気体燃料は、高炉ガス、コークス炉ガス、高炉・コークス炉混合ガス、都市ガス、天然ガス、メタンガス、エタンガス、プロパンガスおよびそれらの混合ガスのうちから選ばれるいずれかの可燃性ガスであることを特徴とする請求項１〜１５のいずれか１項に記載の焼結鉱の製造方法。
【請求項１７】
循環移動するパレット上に粉鉱石と炭材を含む焼結原料を装入して装入層を形成する原料供給装置と、
上記装入層表面の炭材に点火する点火炉と、
上記装入層上辺の空気中に、気体燃料を噴出して燃焼下限濃度以下の希釈気体燃料とする気体燃料供給装置と、
上記希釈気体燃料と空気とをパレット下で吸引して装入層内に導入するウインドボックスとを備える焼結機において、
上記気体燃料供給装置は、気体燃料を気体燃料供給手段の噴出口から吹き消え現象が起こる流速で噴出するものであることを特徴とする焼結機。
【請求項１８】
上記気体燃料供給装置は、気体燃料を、その気体燃料の燃焼速度を超える速度で噴出口から空気中に噴出させるものであることを特徴とする請求項１７に記載の焼結機。
【請求項１９】
上記気体燃料供給装置は、気体燃料を、開口径が３ｍｍφ未満の噴出口から噴出させるものであることを特徴とする請求項１７または１８に記載の焼結機。
【請求項２０】
上記気体燃料供給装置は、気体燃料を、開口径が０．８〜１．５ｍｍφの噴出口から噴出させるものであることを特徴とする請求項１７または１８に記載の焼結機。
【請求項２１】
上記気体燃料供給装置は、パレット進行方向の点火炉下流側に設置されていることを特徴とする請求項１７〜２０のいずれか１項に記載の焼結機。
【請求項２２】
上記気体燃料供給装置は、パレットの幅方向に沿って、複数の気体燃料供給パイプを配設し、そのパイプには、気体燃料を噴出する噴出口を設けてなる気体燃料供給手段を有するものであることを特徴とする請求項１７〜２１のいずれか１項に記載の焼結機。
【請求項２３】
上記気体燃料供給装置は、パレットの進行方向に沿って、複数の気体燃料供給パイプを配設し、そのパイプに気体燃料を噴出する噴出口を設けてなる気体燃料供給手段を有するものであることを特徴とする請求項１７〜２２のいずれか１項に記載の焼結機。
【請求項２４】
上記気体燃料供給装置は、パレット幅方向における気体燃料の供給量を変化させるものであることを特徴とする請求項１７〜２３のいずれか１項に記載の焼結機。
【請求項２５】
上記気体燃料供給装置は、パレット幅方向の吸引速度の大きい部分には気体燃料の供給量を多くし、吸引速度の小さい部分には気体燃料の供給量を少なくして、吸引空気量当りの気体燃料供給量の分布を均一化するものであることを特徴とする請求項１７〜２４のいずれか１項に記載の焼結機。
【請求項２６】
上記気体燃料供給装置は、気体燃料を装入層表面に対して垂直方向に噴出するものであることを特徴とする請求項１７〜２５のいずれか１項に記載の焼結機。
【請求項２７】
上記気体燃料供給装置は、気体燃料を装入層表面に対して平行方向に噴出するものであることを特徴とする請求項１７〜２５のいずれか１項に記載の焼結機。
【請求項２８】
上記気体燃料供給装置は、気体燃料を装入層の上方に設けられた反射板に向かって噴出するものであることを特徴とする請求項１７〜２５のいずれか１項に記載の焼結機。
【請求項２９】
上記気体燃料供給装置は、気体燃料供給パイプに設けられた気体燃料の噴出方向を装入層表面に対して±９０度の範囲に分散させたものであることを特徴とする請求項１７〜２５のいずれか１項に記載の焼結機。
【請求項３０】
上記気体燃料供給装置は、気体燃料供給パイプを回転させ、気体燃料の噴出方向を装入層表面に対して±９０度の範囲で揺動させるものであることを特徴とする請求項１７〜２５のいずれか１項に記載の焼結機。
【請求項３１】
上記気体燃料供給装置は、気体燃料の大気中への噴出を、装入層表面上方３００ｍｍ以上の高さで行うものであることを特徴とする請求項１７〜３０のいずれか１項に記載の焼結機。
【請求項３２】
上記気体燃料供給装置は、気体燃料の噴出高さ位置を調整する昇降機構を有することを特徴とする請求項１７〜３１のいずれか１項に記載の焼結機。
【請求項３３】
上記気体燃料供給装置は、点火炉の下流側に少なくとも１以上配設されてなることを特徴とする請求項１７〜３２のいずれか１項に記載の焼結機。
【請求項３４】
上記気体燃料供給装置は、着火された燃焼・溶融帯の燃焼前線が装入層表層下に進行した段階から焼結が完了するまでの間のいずれかの位置に配設されてなることを特徴とする請求項１７〜３３のいずれか１項に記載の焼結機。
【請求項３５】
上記気体燃料は、高炉ガス、コークス炉ガス、高炉・コークス炉混合ガス、都市ガス、天延ガス、メタンガス、エタンガス、プロパンガスおよびそれらの混合ガスのうちから選ばれるいずれかであることを特徴とする請求項１７〜３４のいずれか１項に記載の焼結機。
【請求項３６】
上記気体燃料は、ＣＯ含有量が５０ｍａｓｓｐｐｍ以下であることを特徴とする請求項１７〜３５のいずれか１項に記載の焼結機。
【請求項３７】
上記気体燃料は、都市ガス１３Ａ、プロパンガスのいずれかであることを特徴とする請求項１７〜３６のいずれか１項に記載の焼結機。
【請求項３８】
上記気体燃料は、気体状態での着火温度が、気体燃料供給開始時の焼結ベッド表層温度より高い液体燃料を気化させたものであることを特徴とする請求項１７〜３４のいずれか１項に記載の焼結機。
【請求項３９】
上記液体燃料は、アルコール類、エーテル類、石油類、その他の炭化水素系化合物類であることを特徴とする請求項３８に記載の焼結機。
【請求項４０】
上記液体燃料を気化させた気体燃料の供給配管は、液体燃料の沸点以上着火温度未満の温度に保持されてなることを特徴とする請求項３８または３９に記載の焼結機。
【手続補正２】
【補正対象書類名】明細書
【補正対象項目名】００１８
【補正方法】変更
【補正の内容】
【００１８】
また、本発明の製造方法は、上記気体燃料を、
（ａ）開口径が３ｍｍφ未満の噴出口から噴出させること、
（ｂ）開口径が０．８〜１．５ｍｍφの噴出口から噴出させること、を特徴とする。
【手続補正３】
【補正対象書類名】明細書
【補正対象項目名】００１９
【補正方法】変更
【補正の内容】
【００１９】
また、本発明の製造方法における上記焼結工程では、希釈気体燃料の供給量および／または濃度、あるいは、焼結原料中の炭材量を変化させて、装入層内の温度が１２００℃以上である高温域保持時間の延長を図る工程、および／または、最高到達温度を１２００〜１３８０℃の範囲に保持する、ことを特徴とする。
【手続補正４】
【補正対象書類名】明細書
【補正対象項目名】００２０
【補正方法】変更
【補正の内容】
【００２０】
また、本発明の製造方法における上記焼結工程では、
（ａ）装入層の上から導入した希釈気体燃料の少なくとも一部を未燃焼のまま上記装入層内の燃焼・溶融帯に到達させ、燃焼させること、
（ｂ）装入層の上から導入した希釈気体燃料を装入層内で燃焼させることによって、燃焼・溶融帯の高さ方向の厚みおよび／またはパレット進行方向の幅を拡大させること、
（ｃ）装入層の上から導入した希釈気体燃料を装入層内で燃焼させることによって、燃焼・溶融帯の高温域保持時間を延長させること、を特徴とする。
【手続補正５】
【補正対象書類名】明細書
【補正対象項目名】００２１
【補正方法】変更
【補正の内容】
【００２１】
また、本発明の製造方法における上記焼結工程では、
（ａ）希釈気体燃料の装入層への導入位置を変化させること、
（ｂ）希釈気体燃料の装入層への導入を、点火炉以降の位置で行うこと、
（ｃ）希釈気体燃料の装入層への導入を、装入層表層部に焼結ケーキが生成されてから焼結が完了するまでの間に行うこと、
（ｄ）希釈気体燃料の焼結層内への導入を、燃焼・溶融帯の厚みが１５ｍｍ以上となる領域において行うこと、を特徴とする。
【手続補正６】
【補正対象書類名】明細書
【補正対象項目名】００２４
【補正方法】変更
【補正の内容】
【００２４】
本発明の焼結機における上記気体燃料供給装置は、
（ａ）気体燃料を、その気体燃料の燃焼速度を超える速度で噴出口から空気中に噴出させるものであること、
（ｂ）気体燃料を、開口径が３ｍｍφ未満の噴出口から噴出させるものであること、
（ｃ）気体燃料を、開口径が０．８〜１．５ｍｍφの噴出口から噴出させるものであること、を特徴とする。
【手続補正７】
【補正対象書類名】明細書
【補正対象項目名】００２５
【補正方法】変更
【補正の内容】
【００２５】
また、本発明の焼結機における上記気体燃料供給装置は、
（ａ）パレット進行方向の点火炉下流側に設置されていること、
（ｂ）パレットの幅方向に沿って、複数の気体燃料供給パイプを配設し、そのパイプには、気体燃料を噴出する噴出口を設けてなる気体燃料供給手段を有するものであること、
（ｃ）パレットの進行方向に沿って、複数の気体燃料供給パイプを配設し、そのパイプに気体燃料を噴出する噴出口を設けてなる気体燃料供給手段を有するものであること、を特徴とする。
【手続補正８】
【補正対象書類名】明細書
【補正対象項目名】００２６
【補正方法】変更
【補正の内容】
【００２６】
また、本発明の焼結機における上記気体燃料供給装置は、
（ａ）パレット幅方向における気体燃料の供給量を変化させるものであること、
（ｂ）パレット幅方向の吸引速度の大きい部分には気体燃料の供給量を多くし、吸引速度の小さい部分には気体燃料の供給量を少なくして、吸引空気量当りの気体燃料供給量の分布を均一化するものであること、を特徴とする。
【手続補正９】
【補正対象書類名】明細書
【補正対象項目名】００２７
【補正方法】変更
【補正の内容】
【００２７】
また、本発明の焼結機における上記気体燃料供給装置は、
（ａ）気体燃料を装入層表面に対して垂直方向に噴出するものであること、
（ｂ）気体燃料を装入層表面に対して平行方向に噴出するものであること、
（ｃ）気体燃料を装入層の上方に設けられた反射板に向かって噴出するものであること、
（ｄ）気体燃料供給パイプに設けられた気体燃料の噴出方向を装入層表面に対して±９０度の範囲に分散させたものであること、
（ｅ）気体燃料供給パイプを回転させ、気体燃料の噴出方向を装入層表面に対して±９０度の範囲で揺動させるものであること、
（ｆ）気体燃料の大気中への噴出を、装入層表面上方３００ｍｍ以上の高さで行うものであること、
（ｇ）気体燃料の噴出高さ位置を調整する昇降機構を有すること、を特徴とする。
【手続補正１０】
【補正対象書類名】明細書
【補正対象項目名】００２７
【補正方法】削除
【補正の内容】